(57)【特許請求の範囲】
【請求項１】
空気を取り込むための第１開口が形成された第１フレームと、
空気を排出するための第２開口が形成された第２フレームと、
断面が短辺及び長辺によって周囲が囲まれた矩形形状の板状を呈し、前記第１フレームの開口面及び前記第２フレームの開口面に対して垂直に配置された放電電極と、
平行に配置された板状を呈する第１電極部及び第２電極部を有し、前記第１電極部及び前記第２電極部が、前記第１フレームの開口面及び前記第２フレームの開口面に対して斜めに配置された対向電極と、
を備え、
前記放電電極は、一側面が前記第１電極部に斜めに対向し、他側面が前記第２電極部に斜めに対向する
電界及び放電発生装置。
【請求項２】
前記放電電極は、前記第１電極部に最も近い第１角部と前記第１電極部との距離、並びに、前記第１角部の対角に配置された第２角部と前記第２電極部との距離が等しくなるように、前記第１電極部と前記第２電極部との中間位置に配置された請求項１に記載の電界及び放電発生装置。
【請求項３】
前記第１電極部は、前記第１フレームの開口面に平行な方向における前記第２電極部との距離をＢとした場合に、前記第１フレームの開口面に近接する一縁部と前記第２フレームの開口面に近接する他縁部との距離が、Ｂ／２以上の値である請求項１又は請求項２に記載の電界及び放電発生装置。
【請求項４】
前記第１電極部及び第２電極部は、前記第１フレームの開口面及び前記第２フレームの開口面に対して４５乃至６０度の角度を有するように、斜めに配置された請求項１から請求項３の何れか一項に記載の電界及び放電発生装置。
【請求項５】
請求項１から請求項４の何れか一項に記載された前記電界及び放電発生装置を備えた空気調和装置。
【請求項６】
送風ファンと、
請求項１から請求項４の何れか一項に記載された前記電界及び放電発生装置と、
を備え、
前記電界及び放電発生装置は、前記送風ファンが駆動されることによって内部に空気が取り込まれる空気調和装置。
【発明の詳細な説明】
【技術分野】
【０００１】
この発明は、電界を形成し、電極間に放電を発生させる電界及び放電発生装置と、電界及び放電発生装置を備えた空気調和装置とに関するものである。
【背景技術】
【０００２】
下記特許文献１及び２には、電気集塵機の従来技術が開示されている。
特許文献１に記載された集塵機には、吸引した粉塵をイオン化するためのイオン化部が備えられている。イオン化部には、高電位側の放電電極と接地された対向電極とが備えられている。放電電極と対向電極とは、互いに平行に配置され、開口面に対して斜めに配置されている。【０００３】
特許文献２に記載された集塵機には、空気中の微粒子に電荷を与えるためのイオナイザ部が備えられている。イオナイザ部には、放電電極と対向電極とが備えられている。対向電極は、開口面に対して斜めに配置されている。放電電極は、イオン化線からなる。
【先行技術文献】
【特許文献】
【０００４】
【特許文献１】日本特許第３６０５２０６号公報
【特許文献２】日本特許第４２５２４０５号公報
【発明の概要】
【発明が解決しようとする課題】
【０００５】
特許文献２に記載のものは、放電電極がイオン化線で構成されているため、放電電極が切れ易いといった問題があった。切れた放電電極が対向電極に接触すると、火花放電が生じたり、装置が停止したりする恐れがある。また、放電電極としてイオン化線が採用されているため、装置を薄型化するために対向電極の傾斜を大きくすると、放電電極及び対向電極間で火花放電の頻度が増すといった問題もあった。【０００６】
特許文献１に記載のものでは、放電電極の先端部が丸められているため、その丸みの分だけ装置の薄型化が困難になる。また、特許文献１に記載のものも、特許文献２に記載のものと同様に、装置を薄型化するために対向電極の傾斜を大きくすると、火花放電が発生し易くなってしまう。【０００７】
この発明は、上述のような課題を解決するためになされたもので、その目的は、装置を薄型化しても安定した均一な電界を形成することができ、放電電極及び対向電極間に発生する火花放電等の異常な放電を、大幅に減少させることができる電界及び放電発生装置と、そのような電界及び放電発生装置を備えた空気調和装置とを提供することである。
【課題を解決するための手段】
【０００８】
この発明に係る電界及び放電発生装置は、空気を取り込むための第１開口が形成された第１フレームと、空気を排出するための第２開口が形成された第２フレームと、断面が短辺及び長辺によって周囲が囲まれた矩形形状の板状を呈し、第１フレームの開口面及び第２フレームの開口面に対して垂直に配置された放電電極と、平行に配置された板状を呈する第１電極部及び第２電極部を有し、第１電極部及び第２電極部が、第１フレームの開口面及び第２フレームの開口面に対して斜めに配置された対向電極と、を備え、放電電極は、一側面が第１電極部に斜めに対向し、他側面が第２電極部に斜めに対向するものである。
この発明に係る空気調和装置は、上記電界及び放電発生装置を備えたものである。
【発明の効果】
【０００９】
この発明によれば、装置を薄型化しても安定した均一な電界を形成することができ、放電電極及び対向電極間に発生する火花放電等の異常な放電を、大幅に減少させることができるようになる。
【図面の簡単な説明】
【００１０】
【図１】この発明の実施の形態１における電界及び放電発生装置を示す分解斜視図である。
【図２】この発明の実施の形態１における電界及び放電発生装置の断面を示す図である。
【図３】この発明の実施の形態１における電界及び放電発生装置の電極支持部を示す斜視図である。
【図４】この発明の実施の形態１における電界及び放電発生装置の要部を示す斜視図である。
【図５】この発明の実施の形態１における電界及び放電発生装置の対向電極を示す斜視図である。
【図６】対向電極の電極部の支持構造を説明するための図である。
【図７】対向電極の電極部の他の支持構造を示す図である。
【図８】対向電極の電極部の他の支持構造を示す図である。
【図９】放電電極と対向電極との位置関係を説明するための図である。
【図１０】この発明の実施の形態１における放電電極と対向電極との位置関係を示す図である。
【図１１】放電電極と対向電極との異なる位置関係を示す図である。
【図１２】図１に示す構成の電界及び放電発生装置を搭載した空気調和機の断面図である。
【発明を実施するための形態】
【００１１】
添付の図面を参照して、本発明を詳細に説明する。各図において、同一又は相当する部分には、同一の符号を付している。重複する説明については、適宜簡略化或いは省略している。
【００１２】
実施の形態１．
図１はこの発明の実施の形態１における電界及び放電発生装置を示す分解斜視図である。図２はこの発明の実施の形態１における電界及び放電発生装置の断面を示す図である。図１では、上が装置の風上側、下が装置の風下側を示している。
【００１３】
図１及び図２に示すように、電界及び放電発生装置は、上部フレーム１、放電電極２、バネ３、給電部４、電極支持部５及び６、対向電極７、下部フレーム８を備えている。電界及び放電発生装置の外形は、上部フレーム１及び下部フレーム８により形成される。
【００１４】
上部フレーム１は、装置の最も風上側に配置される部分を構成する。上部フレーム１は、例えば、全体が樹脂によって形成される。上部フレーム１には、外部の空気を装置の内部に取り込むための開口１ａが形成されている。上部フレーム１には、格子９、上部リブ１０、取っ手１１が設けられている。
【００１５】
格子９は、人の指が開口１ａから装置の内部に入らないようにするために設けられている。格子９によって区切られた各孔が、開口１ａである。開口１ａは、上部フレーム１の上面（図１のＸ−Ｙ平面に平行な面）に、所定の幅（図１のＸ軸方向距離）及び所定の奥行き（図１のＹ軸方向距離）に渡って形成されている。
【００１６】
上部リブ１０は、例えば、三角形状を呈する板状部材からなる。上部リブ１０は、格子９に設けられ、先端が装置の内部側（下方）に突出する。上部リブ１０は、上部フレーム１の開口１ａが形成された面（以下、上部フレーム１の「開口面」ともいう。）に対して垂直に配置される。格子９及び上部リブ１０は、例えば、全体が樹脂からなり、上部フレーム１の本体部分に一体的に設けられる。
取っ手１１は、人が装置を手で持つ際に掴むためのものである。
【００１７】
下部フレーム８は、装置の最も風下側に配置される部分を構成する。下部フレーム８は、例えば、全体が樹脂によって形成される。下部フレーム８には、開口１ａから装置の内部に取り込まれた空気を、装置の外部に排出するための開口８ａが形成されている。下部フレーム８には、格子１２、下部リブ１３が設けられている。
【００１８】
格子１２は、人の指が開口８ａから装置の内部に入らないようにするために設けられている。格子１２によって区切られた各孔が、開口８ａである。開口８ａは、下部フレーム８の下面（図１のＸ−Ｙ平面に平行な面）に、所定の幅（図１のＸ軸方向距離）及び所定の奥行き（図１のＹ軸方向距離）に渡って形成されている。下部フレーム８の開口８ａが形成された面（開口面）は、上部フレーム１の開口面に平行に配置されている。装置の内部に部品が存在しなければ、開口８ａは、開口１ａから高さ方向（図１のＺ軸方向）に所定の距離離れた位置で、開口１ａに対向するように配置される。
【００１９】
下部リブ１３は、例えば、三角形状を呈する板状部材からなる。下部リブ１３は、上部リブ１０とによって一対の支持部材を形成する。下部リブ１３は、格子１２に設けられ、先端が装置の内部側（上方）に突出する。下部リブ１３は、下部フレーム８の開口面に対して垂直に配置される。格子１２及び下部リブ１３は、例えば、全体が樹脂からなり、下部フレーム８の本体部分に一体的に設けられる。
【００２０】
放電電極２は、要部が、金属製の長尺な板状部材からなる。放電電極２を構成する金属としては、例えば、タングステンや銅、ニッケル、ステンレス、亜鉛、鉄、モリブデン等が好適である。放電電極２を、上記金属を主成分とする合金で構成したり、上記金属の表面に銀や金、白金といった貴金属をメッキしたもので構成したりしても良い。
【００２１】
放電電極２は、その断面が、短辺及び長辺によって周囲が囲まれた矩形形状を呈する。放電電極２の断面は、例えば、短辺の長さが０．０１乃至０．１ｍｍ、長辺の長さが０．１乃至１．０ｍｍである。放電電極２の各端部には、リング形状を呈する端子２ａが取り付けられている。放電電極２は、中間部が２乃至４回程度折り返された状態で、装置内に収納されている。
【００２２】
バネ３は、放電電極２に所定の張力を付与するためのものである。バネ３は、金属製の部材からなる。放電電極２は、各端部が、端子２ａを介してバネ３に連結されている。放電電極２は、バネ３によって長手方向に引っ張られた状態で、給電部４に取り付けられている。
給電部４は、金属製の部材からなる。給電部４は、放電電極２（及び対向電極７間）に４乃至７ｋＶの電圧を供給するための電源（図示せず）に接続されている。
【００２３】
図３はこの発明の実施の形態１における電界及び放電発生装置の電極支持部（電極支持部５）を示す斜視図である。
電極支持部５及び６は、装置内で放電電極２を支持するためのものである。電極支持部５及び６は、例えば、全体が樹脂からなる。電極支持部５は、下部フレーム８の一側の端部に取り付けられている。電極支持部６は、下部フレーム８の他側の端部に取り付けられている。放電電極２は、装置の一端部側で電極支持部５に、他端部側で電極支持部６に支持される。電極支持部５及び６には、放電電極２を折り返すための部材や、放電電極２を適切な位置に配置するための部材が備えられている。
【００２４】
図４はこの発明の実施の形態１における電界及び放電発生装置の要部を示す斜視図である。図４は、装置の中央部において放電電極２を支持するための部材を示している。
放電電極２は、上述したように、装置の一端部側で電極支持部５に、他端部側で電極支持部６に支持される。また、放電電極２は、装置の中央部において、支持リブ１４によって支持される。支持リブ１４には、上方に開口するスリット１４ａ（凹部）が形成されている。スリット１４ａは、その開口幅が０．１乃至１．０ｍｍに形成されている。放電電極２は、縦向きでスリット１４ａに挿入され、立てた状態で支持リブ１４に支持される。
【００２５】
支持リブ１４は、上部フレーム１、下部フレーム８、電極支持部５、電極支持部６の何れか、或いは、それらの複数に設けられる。放電電極２は、装置の端部で電極支持部５及び６に、また、装置の中央部で支持リブ１４に支持されることにより、全体が、上部フレーム１の開口面（及び、下部フレーム８の開口面）に対して垂直に配置される。放電電極２は、装置内で適切に支持されると、断面の一方の短辺を形成する面（端面）が開口１ａに、他方の短辺を形成する面（端面）が開口８ａに対向する。
【００２６】
図５はこの発明の実施の形態１における電界及び放電発生装置の対向電極を示す斜視図である。
対向電極７は、金属製の板状部材に、切断と曲げ加工とを行うことによって製作される。対向電極７を構成する金属としては、例えば、タングステンや銅、ニッケル、ステンレス、亜鉛、鉄、モリブデン等が好適である。対向電極７を、上記金属を主成分とする合金で構成したり、上記金属の表面に銀や金、白金といった貴金属をメッキしたもので構成したりしても良い。
【００２７】
対向電極７は、例えば、電極部７ａ、折り曲げ部７ｂ、水平部７ｃを備えている。
電極部７ａは、開口１ａの幅（図１のＸ軸方向距離）と同程度の幅、或いは、開口１ａの幅よりも大きな幅の板状を呈する。電極部７ａは、装置の奥行き方向（図１のＹ軸方向）に、複数枚が並んで配置される。各電極部７ａは、等間隔に、且つ、互いに平行に配置される。電極部７ａは、上部フレーム１の開口面（及び、下部フレーム８の開口面）に対し、所定の角度で傾斜するように斜めに配置される。本実施の形態では、上部フレーム１の開口面に対して４５乃至６０度の角度を有するように、電極部７ａを設置している。
【００２８】
対向電極７を金属板から製作することにより、樹脂成形によって製作する場合と比較して、電極部７ａを精密に形成することができる。また、対向電極７を金属板から製作すれば、電極部７ａの傾斜が経年によって変化してしまうことも、大幅に抑制することができる。
【００２９】
電極部７ａは、隣接するものの端部同士が、折り曲げ部７ｂ及び水平部７ｃによって接続されている。折り曲げ部７ｂは、上部フレーム１側に突出するように折り曲げられた三角状を呈する。折り曲げ部７ｂは、電極部７ａの各端部に設けられている。水平部７ｃは、平板状を呈し、上部フレーム１の開口面と平行に配置される。水平部７ｃは、隣接する折り曲げ部７ｂを接続する。対向電極７の端部は、折り曲げ部７ｂと水平部７ｃとが交互に配置された波状を呈している。
【００３０】
対向電極７は、一側の端部（即ち、折り曲げ部７ｂ及び水平部７ｃによって波状に形成された部分）が、電極支持部５と下部フレーム８とによって上下から挟み込まれ、所定の位置に固定される。電極支持部５の下面には、折り曲げ部７ｂに対応した三角形状の凹部５ａと、水平部７ｃに対応した平面部５ｂとが交互に形成されている。同様に、対向電極７は、他側の端部が、電極支持部６と下部フレーム８とによって上下から挟み込まれ、所定の位置に固定される。電極支持部６の下面には、折り曲げ部７ｂに対応した三角形状の凹部と、水平部７ｃに対応した平面部とが交互に形成されている。
【００３１】
対向電極７が装置内に適切に配置されると、電極部７ａの側面が、傾いた状態で開口１ａ及び８ａに対向する。なお、折り曲げ部７ｂ及び水平部７ｃは、開口１ａ及び８ａに対向しない。折り曲げ部７ｂ及び水平部７ｃは、装置内で空気が流れる箇所に露出しない。このため、装置内に発生した気流が、折り曲げ部７ｂ及び水平部７ｃによってその流れを阻害されることはない。
【００３２】
次に、図６乃至図８も参照し、電極部７ａの支持構造について詳細に説明する。
図６は対向電極の電極部の支持構造を説明するための図である。対向電極７の電極部７ａは、中間部が、上部リブ１０及び下部リブ１３によって支持される。
【００３３】
図６に示すように、上部リブ１０の端面１０ａは、上部フレーム１の開口面に対して斜めに配置される。上部リブ１０は、端面１０ａが、電極部７ａの上側（開口１ａ側）を向く側面と僅かな間隙を有して対向するように配置される。即ち、上部リブ１０は、対向電極７が装置内に適切に配置された時の電極部７ａの傾斜に合わせて、端面１０ａが形成されている。
【００３４】
上部リブ１０は、下部リブ１３とによって一対の支持部材を構成する。下部リブ１３は、上部リブ１０と同一の平面を形成するように、上部リブ１０と平行に配置される。下部リブ１３は、端面１３ａが、端面１０ａに平行になるように形成されている。このため、端面１３ａは、上部フレーム１の開口面に対して斜めに配置される。下部リブ１３は、端面１３ａが、電極部７ａの下側（開口８ａ側）を向く側面と僅かな間隙を有して対向するように配置される。即ち、下部リブ１３は、対向電極７が装置内に適切に配置された時の電極部７ａの傾斜に合わせて、端面１３ａが形成されている。
【００３５】
電極部７ａは、中間部が上部リブ１０及び下部リブ１３によって挟み込まれるように支持され、その傾斜が保持される。上部リブ１０及び下部リブ１３は、端面によって電極部７ａを保持する構造を備えていれば、その形状は如何なるものであっても構わない。図７及び図８は、対向電極の電極部の他の支持構造を示す図である。図７は、上部リブ１０及び下部リブ１３が半円状を呈する場合を示している。図８は上部リブ１０及び下部リブ１３が台形状を呈する場合を示している。
【００３６】
上部リブ１０は、端面１０ａの長さ（図６のＡ１）が、電極部７ａの傾斜長さ（即ち、上部フレーム１の開口面に近接する縁部と下部フレーム８の開口面に近接する縁部との距離（図６のＡ））の１／３以上であることが好ましい。同様に、下部リブ１３に関しても、端面１３ａの長さが、電極部７ａの傾斜長さの１／３以上であることが好ましい。かかる構成であれば、電極部７ａを広い面積で受けることができ、電極部７ａを確実に保持することができる。また、端面１０ａ及び１３ａの長さを十分に確保できれば、リブの根元部分を太く強固にすることができる。このため、リブの欠損を防止でき、長期に渡って電極部７ａを適切な位置で保持することが可能となる。
【００３７】
本実施の形態では、上部リブ１０の下端部が、下部リブ１３の上端部よりも１乃至１０ｍｍ程度下方に配置されている。即ち、上部リブ１０の下部と下部リブ１３の上部とは、一部が高さ方向（図１のＺ軸方向）に重なるように配置されている。かかる構成であれば、電極部７ａを上下から強固に抑えることができ、電極部７ａを更に強い力で保持することができる。
【００３８】
更に、電極部７ａは、装置内の空気の流れ（即ち、開口１ａから装置内に取り込まれ、開口８ａから装置の外に排出される空気の流れ）を阻害しない傾斜で保持されることが好ましい。電極部７ａの傾斜は、風が装置内に流入する方向（上部フレーム１の開口面の法線方向）に対する角度（図６のθ）が、４５度以下であることが好ましい。本装置を製品に搭載すると、本装置が製品内の空気の流れを阻害することにより、製品の消費電力が増加する。電極部７ａが上記傾斜角度で保持されていれば、本装置を製品に搭載した場合であっても、その製品の消費電力の増加を１Ｗ以下に抑制することができる。
【００３９】
本実施の形態では、上述したように、電極部７ａと上部フレーム１の開口面との角度（９０−θ）を、４５乃至６０度に設定している。このため、風の流入方向に対する電極部７ａの角度は、４５度以下となる。
【００４０】
次に、図９も参照し、放電電極２と対向電極７との位置関係について詳細に説明する。図９は放電電極と対向電極との位置関係を説明するための図である。
【００４１】
対向電極７の電極部７ａは、装置の奥行き方向（図１のＹ軸方向）に、等間隔に配置される。また、電極部７ａは、上部フレーム１の開口面及び下部フレーム８の開口面に対して斜めに配置される。放電電極２は、上部フレーム１の開口面及び下部フレーム８の開口面に対して垂直に配置される。放電電極２の一側の端面は開口１ａに対向し、他側の端面は開口８ａに対向する。また、放電電極２の両側面は、上部フレーム１の開口面に対して垂直に配置される。
【００４２】
図９のＡは、上記と同様に、電極部７ａの傾斜長さである。Ｂは電極部７ａの設置間隔、即ち、奥行き方向（上部フレーム１の開口面に平行な方向）における電極部７ａ間距離である
【００４３】
放電電極２は、平行に配置された２枚の電極部７ａ間に配置される。このため、放電電極２の一側の側面は、上記２枚の電極部７ａのうち、一方の電極部７ａの側面に斜めに対向する。放電電極２の他側の側面は、上記２枚の電極部７ａのうち、他方の電極部７ａの側面に斜めに対向する。
【００４４】
放電電極２は、平行に配置された２枚の電極部７ａ間のちょうど中間位置に配置される。具体的に、放電電極２は、隣接する上記２つの電極部７ａの各中間高さ（Ａ／２の高さ）を結ぶ直線上に配置される。また、放電電極２は、上記２つの電極部７ａまでの各距離が等しくなるように配置される。即ち、放電電極２は、一方の電極部７ａとの水平方向距離、及び、他方の電極部７ａとの水平方向距離が共にＢ／２となるように配置される。
【００４５】
更に、対向電極７は、電極部７ａの傾斜長さＡが、電極部７ａの設置間隔Ｂの１／２以上（Ａ≧Ｂ／２）になるように構成されている。
【００４６】
このように構成された電界及び放電発生装置では、外部に設置された送風ファン（図示せず）が駆動されると、外部の空気が開口１ａから装置内に取り込まれる。この時、空気中に浮遊していた細菌、かび、ウイルス等も、開口１ａから装置内に取り込まれる。電界及び放電発生装置では、対向電極７が接地され、放電電極２に４乃至７ｋＶの電圧が印加される。放電電極２と対向電極７との間には電界が形成され、コロナ放電が発生する。
【００４７】
開口１ａから装置内に進入した細菌、かび、ウイルスは、電界及び放電が加わることにより、放電電極２と対向電極７との間を通過する際に破壊され、死滅する。死滅した細菌、かび、ウイルスは、空気と共に開口８ａから装置の外に排出される。これにより、室内の生きた浮遊細菌、かび、ウイルスを除去・不活性化することができる。
【００４８】
次に、図１０及び図１１も参照し、上記構成を有する電界及び放電発生装置の機能について具体的に説明する。
図１０はこの発明の実施の形態１における放電電極と対向電極との位置関係を示す図である。図１０に示す放電電極２と対向電極７との位置関係は、図９に示す状態と同じである。図１１は放電電極と対向電極との異なる位置関係を示す図である。図１１は、図１０に示す状態から放電電極２を傾斜させることにより、放電電極２と対向電極７とを平行に近い状態に配置したものを示している。
【００４９】
図１０及び図１１において、２ｂ乃至２ｅは、放電電極２の側面及び端面によって形成される角部を示している。７ｄ乃至７ｇは、電極部７ａの側面及び端面によって形成される角部を示している。
【００５０】
放電電極２及び対向電極７間に４乃至７ｋＶの電圧が印加されると、放電電極２の角部と電極部７ａとの間に放電が発生する。対向電極７の電極部７ａは傾斜して配置されているため、放電電極２と対向電極７との間には、部分的に距離が近い場所が発生する。その箇所では、他の箇所よりも電界強度が強くなるため、放電が発生し易い。
【００５１】
図１０に示す配置では、放電電極２の角部２ｂが、電極部７ａの角部７ｄに近い位置に配置される。このため、角部２ｂと角部７ｄとの間で放電が発生し易い。
【００５２】
図１１に示す配置でも、放電電極２の角部２ｂは、電極部７ａの角部７ｄに近い位置に配置される。しかし、図１１に示す配置では、放電電極２の角部２ｄも、電極部７ａの角部７ｄに近い位置に配置されてしまう。このため、図１１に示す配置では、角部２ｂと角部７ｄとの間、及び、角部２ｄと角部７ｄとの間の双方において放電が起き、放電の干渉が発生する。放電が干渉すると、火花放電が発生し易くなる。また、放電の干渉が発生すると、オゾンの生成量が増加し、放電音が大きくなる。
【００５３】
図１０に示す配置であれば、１つの電極部７ａに接近する放電電極２の角部を一つ（一本）にすることができるため、放電の干渉は発生しない。図１０に示す配置を採用することにより、放電電極２と対向電極７との間に安定した放電状態を作り出すことができる。即ち、火花放電の発生や、オゾンの生成量の増加、放電音量の増大を抑制できる。
【００５４】
放電電極２の下端部側についても同様のことが言える。
図１０に示す配置では、放電電極２の角部２ｅが、電極部７ａの角部７ｇに近い位置に配置される。角部２ｅは、一方の電極部７ａの最も近くに配置された角部２ｂに対して、対角に配置された角部である。放電電極２と対向電極７とが図９に示す位置関係に配置されると、角部２ｂと一方の電極部７ａとの距離、並びに、角部２ｅと他方の電極部７ａとの距離は等しくなる。このため、角部２ｅと角部７ｇとの間も放電は発生し易い。
【００５５】
図１１に示す配置でも、放電電極２の角部２ｅは、電極部７ａの角部７ｇに近い位置に配置される。しかし、図１１に示す配置では、放電電極２の角部２ｃも、電極部７ａの角部７ｇに近い位置に配置されてしまう。このため、図１１に示す配置では、角部２ｅと角部７ｇとの間、及び、角部２ｃと角部７ｇとの間の双方において放電が起き、放電の干渉が発生する。放電が干渉すると、火花放電が発生し易くなる。また、放電の干渉が発生すると、オゾンの生成量が増加し、放電音が大きくなってしまう。
【００５６】
放電電極２を上部フレーム１の開口面（及び、下部フレーム８の開口面）に対して斜めに配置しても、対向電極７の電極部７ａを上部フレーム１の開口面に対して垂直に近い状態に配置すれば、放電の干渉を抑制することは可能である。しかし、装置を薄型化するためには、対向電極７の電極部７ａを上部フレーム１の開口面に対して傾斜させて、開口１ａと開口８ａとの距離を短くしなければならない。一方で、対向電極７の電極部７ａの傾斜角度が大き過ぎると、放電電極２の角部と電極部７ａの角部とが接近し過ぎて、火花放電が発生し易くなってしまう。
【００５７】
装置を薄型化し、且つ、火花放電の発生を抑制するためには、対向電極７の電極部７ａを、上部フレーム１の開口面（及び、下部フレーム８の開口面）に対して４５乃至６０度の角度に配置することが最適である。また、上記角度で電極部７ａを傾斜させた場合は、本装置を、例えば、空気調和機の室内機に搭載しても、室内機内の空気の流れを阻害することはなく、空気調和機の冷暖房性能に悪影響を与えることもない。放電電極２を上部フレーム１の開口面（及び、下部フレーム８の開口面）に対して垂直に配置すれば、組立性も向上する。
【００５８】
また、本装置では、放電電極２を、平行に配置された隣接する電極部７ａ間のちょうど中間位置に配置している。このため、放電電極２と対向電極７との間に、電界強度の高い箇所が部分的に形成されることはなく、均一な電界を形成でき、安定した放電状態を維持することができる。
【００５９】
火花放電の発生や、オゾンの生成量の増加、放電音量の増大を抑制するため、電極部７ａの傾斜長さＡは、電極部７ａの設置間隔Ｂの１／２以上であることが好ましい。電極部７ａの傾斜長さＡがＢ／２よりも短いと、放電電極２の角部と電極部７ａの角部とが接近し過ぎて、均一な電界を形成できなくなる恐れがある。電界強度の高い箇所が部分的に形成されると、火花放電の発生や、オゾンの生成量の増加、放電音量の増大の原因になってしまう。
【００６０】
このように、上記構成を有する電界及び放電発生装置であれば、装置を薄型化しても安定した均一な電界を形成することができる。このため、放電電極２及び対向電極７間に発生する火花放電等の異常な放電を大幅に減少させることができ、安定した放電状態を長期に渡って維持することが可能となる。
【００６１】
実施の形態２．
本実施の形態では、上記構成の電界及び放電発生装置を、空気調和機の室内機に搭載した場合について説明する。図１２は図１に示す構成の電界及び放電発生装置を搭載した空気調和機の断面図である。
【００６２】
図１２において、１５は実施の形態１で説明した電界及び放電発生装置である。１６は空気調和機の室内機の本体である。本体１６には、その上面に、吸気口１６ａが形成されている。本体１６の下部前面には、排気口１６ｂが形成されている。本体１６の内部には、送風ファン１７、熱交換器１８、上記電界及び放電発生装置１５が設置されている。
【００６３】
送風ファン１７は、本体１６の内部に気流を発生させるためのものである。送風ファン１７は、例えば、プロペラファンからなる。送風ファン１７は、吸気口１６ａに近接するように、吸気口１６ａの下方に配置される。
熱交換器１８は、送風ファン１７の下方で、排気口１６ｂの上方に配置される。熱交換器１８は、断面が逆Ｖ字状を呈するように、本体１６内で斜めに設置されている。
【００６４】
電界及び放電発生装置１５は、送風ファン１７の下方で、熱交換器１８の上方に配置される。電界及び放電発生装置１５は、熱交換器１８の上面の傾斜に沿って斜めに配置されている。このため、電界及び放電発生装置１５では、上部フレーム１の開口面及び下部フレーム８の開口面が傾斜し、対向電極７の電極部７ａが垂直に近い状態で固定されている。
【００６５】
上記構成を有する空気調和機では、送風ファン１７が動作すると、外部の空気が吸気口１６ａから本体１６の内部に取り込まれる。図１２では、送風ファン１７が動作した時の風の流れを太い矢印で示している。本体１６の内部に取り込まれた空気は、送風ファン１７によって下方に送られ、電界及び放電発生装置１５或いは熱交換器１８に流入する。
【００６６】
上述したように、電界及び放電発生装置１５は、熱交換器１８の上面に沿って斜めに配置されている。このため、送風ファン１７から送られてきた空気は、電界及び放電発生装置１５に対して斜め方向から流入し、電極部７ａの傾斜に沿うように内部を移動する。電界及び放電発生装置１５の開口８ａから排出された空気は、熱交換器１８に流入する。熱交換器１８を通過した空気は、排気口１６ｂから本体１６の外部に排出される。
【００６７】
上記構成の空気調和機であれば、本体１６の内部に設置された電界及び放電発生装置１５によって、室内に浮遊する細菌、かび、ウイルスを除去・不活性化することができる。送風ファン１７から送られてきた空気は、電界及び放電発生装置１５に斜めに流入するため、電界及び放電発生装置１５において大きな圧力損失が生じることはない。したがって、空気調和機の内部に電界及び放電発生装置１５を備えた場合であっても、空気調和機の冷暖房機能が大幅に低減することはない。
【産業上の利用可能性】
【００６８】
この発明に係る電界及び放電発生装置は、例えば、ルームエアコン、パッケージエアコン、クリーナー、ハンドドライヤー、空気清浄機、加湿機、除湿機、冷蔵庫といった製品の内部に搭載することができる。
【符号の説明】
【００６９】
１  上部フレーム
１ａ、８ａ  開口
２  放電電極
２ａ  端子
２ｂ、２ｃ、２ｄ、２ｅ  角部
３  バネ
４  給電部
５、６  電極支持部
５ａ  凹部
５ｂ  平面部
７  対向電極
７ａ  電極部
７ｂ  折り曲げ部
７ｃ  水平部
７ｄ、７ｅ、７ｆ、７ｇ  角部
８  下部フレーム
９、１２  格子
１０  上部リブ
１０ａ、１３ａ  端面
１１  取っ手
１３  下部リブ
１４  支持リブ
１４ａ  スリット
１５  電界及び放電発生装置
１６  本体
１６ａ  吸気口
１６ｂ  排気口
１７  送風ファン
１８  熱交換器
【図１】
0005598603.tif 000002
【図２】
0005598603.tif 000003
【図３】
0005598603.tif 000004
【図４】
0005598603.tif 000005
【図５】
0005598603.tif 000006
【図６】
0005598603.tif 000007
【図７】
0005598603.tif 000008
【図８】
0005598603.tif 000009
【図９】
0005598603.tif 000010
【図１０】
0005598603.tif 000011
【図１１】
0005598603.tif 000012
【図１２】
0005598603.tif 000013